(57)【要約】【課題】周波数間の端末数のロードバランスを実現する。【解決手段】無線通信システムが利用可能な周波数帯域を、複数の部分周波数帯域に分割し、１つ以上の部分周波数帯域を複数の基地局に割り当てる場合に、各基地局は、端末が送信する信号を受信するための情報と、部分周波数帯域毎の接続端末数を制御局に報告し、制御局は、各基地局から受け取った情報に基づいて、各部分周波数帯域の負荷を判定し、負荷が生じている部分周波数帯域を利用して通信を行っている端末群について、端末群が送信する信号を受信するための情報を各基地局に配信して端末群の干渉測定を指示し、ハンドオーバの要否判断およびハンドオーバ先基地局または周波数を決定し、基地局主導のハンドオーバを行う。【選択図】  図８
2016072715.tif 000002
【特許請求の範囲】
【請求項１】
複数の基地局と、前記複数の基地局を制御する制御局を少なくとも有する無線通信システムであって、
前記無線通信システムが利用可能な周波数帯域を、複数の部分周波数帯域に分割し、１つ以上の部分周波数帯域を前記複数の基地局に割り当てる場合に、
前記各基地局は、接続中の端末が送信する信号を受信するための情報と、前記割り当てられた部分周波数帯域毎の接続端末数を前記制御局に報告し
前記制御局は、各基地局から受け取った接続端末数の情報に基づいて、各部分周波数帯域の負荷を判定し、負荷が生じている部分周波数帯域については、該部分周波数帯域を利用して通信を行っている端末群について、前記端末群が送信する信号を受信するための情報を該部分周波数帯域を利用して通信を行っている各基地局に配信して前記端末群の干渉測定を指示し、各基地局から前記端末群の干渉測定結果を受信して、前記端末群についてハンドオーバの要否判断およびハンドオーバ先の基地局および周波数を決定し、ハンドオーバ要と判断した端末が接続している基地局に対して、前記決定した基地局の周波数へ基地局主導のハンドオーバを指示することを特徴とする無線通信システム。
【請求項２】
請求項１に記載の無線通信システムであって、
前記複数の基地局は、定期的に、または制御局からの指示により、接続中の端末が送信する信号を受信するための情報と、割り当てられた部分周波数帯域毎の接続端末数を前記制御局に報告することを特徴とする無線通信システム。
【請求項３】
請求項１に記載の無線通信システムであって、
前記端末が送信する信号を受信するための情報とは、端末が送信するＣＱＩ信号を受信するための、送信タイミング、周波数、スクランブル解除方法であり
前記端末群の干渉測定は、第１の端末群が送信するＣＱＩ信号の電力の測定であることを特徴とする無線通信システム。
【請求項４】
複数の基地局と、前記複数の基地局を制御する制御局を少なくとも有する無線通信システムにおける負荷分散方法であって、
前記無線通信システムが利用可能な周波数帯域を、複数の部分周波数帯域に分割し、１つ以上の部分周波数帯域を前記複数の基地局に割り当てる場合に、
前記各基地局は、接続中の端末が送信する信号を受信するための情報と、前記割り当てられた部分周波数帯域毎の接続端末数を前記制御局に報告し
前記制御局は、各基地局から受け取った接続端末数の情報に基づいて、各部分周波数帯域の負荷を判定し、負荷が生じている部分周波数帯域については、該部分周波数帯域を利用して通信を行っている端末群について、前記端末群が送信する信号を受信するための情報を該部分周波数帯域を利用して通信を行っている各基地局に配信して前記端末群の干渉測定を指示し、各基地局から前記端末群の干渉測定結果を受信して、前記端末群についてハンドオーバの要否判断およびハンドオーバ先の基地局および周波数を決定し、ハンドオーバ要と判断した端末が接続している基地局に対して、前記決定した基地局の周波数へ基地局主導のハンドオーバを指示することを特徴とする負荷分散方法。
【請求項５】
請求項４に記載の負荷分散方法であって、
前記複数の基地局は、定期的に、または制御局からの指示により、接続中の端末が送信する信号を受信するための情報と、割り当てられた部分周波数帯域毎の接続端末数を前記制御局に報告することを特徴とする負荷分散方法。
【請求項６】
請求項４に記載の負荷分散方法であって、
前記端末が送信する信号を受信するための情報とは、端末が送信するＣＱＩ信号を受信するための、送信タイミング、周波数、スクランブル解除方法であり
前記端末群の干渉測定は、端末群が送信するＣＱＩ信号の電力の測定であることを特徴とする負荷分散方法。
【請求項７】
無線通信システムが利用可能な周波数帯域を、複数の部分周波数帯域に分割した１つ以上の部分周波数帯域を利用して、端末と無線通信を行う基地局であって、
接続中の端末が送信する信号を受信するための情報と、前記割り当てられた部分周波数帯域毎の接続端末数を上位の装置に報告するとともに、
前記上位の装置から、自身に接続していないが、自身が利用している前記１以上の部分周波数帯域により信号を送信している第１の端末が送信する信号を受信するための情報と、前記第１の端末の干渉測定指示を受信すると、前記第１の端末が送信する信号を受信して前記第１の端末が自身に与える干渉を測定して前記上位の装置に報告し、
前記上位の装置からのハンドオーバを指示に基づいて、前記第１の端末を基地局主導でハンドオーバさせることを特徴とする基地局。
【請求項８】
請求項７に記載の基地局であって、
定期的に、または上位の装置からの指示により、接続中の端末が送信する信号を受信するための情報と、割り当てられた部分周波数帯域毎の接続端末数を前記上位の装置に報告することを特徴とする基地局。
【請求項９】
請求項７に記載の基地局であって、
前記端末が送信する信号を受信するための情報とは、端末が送信するＣＱＩ信号を受信するための、送信タイミング、周波数、スクランブル解除方法であり
前記第１の端末の干渉測定は、第１の端末が送信するＣＱＩ信号の電力の測定であることを特徴とする基地局。
【発明の詳細な説明】
【技術分野】
【０００１】
本発明は、無線通信技術に関し、特に空港面において無線通信サービスを行うための無線通信技術に関する。
【背景技術】
【０００２】
空港面における無線通信の特徴として、空港は電波の遮蔽物が少なく、電波が遠くまで届きやすい点がある。そのため、空港内に同一の周波数を用いて通信を行っている無線端末が複数存在する場合には、干渉の問題が深刻である。
【０００３】
さらに周波数リユースを行う場合、各基地局が使用可能な周波数帯域が狭くなる。無線通信システムにおいて、制御信号は無線フレーム内の格納位置が決められており、周波数リユースにより周波数帯域が狭くなる影響で、特に上りリンクの制御信号が干渉を受けやすくなる。上り制御信号における干渉を回避するためには、各基地局、各分割周波数帯域に接続する端末接続数の偏りを少なくし、ロードバランスをとることが効果的である。通常、基地局から別の基地局への端末のハンドオーバは、無線端末からのハンドオーバ要求を契機に行われる。基地局のロードバランスをとるために、端末接続数の多い基地局から、端末接続数の少ない基地局に、端末をハンドオーバさせるためには、基地局主導でハンドオーバを実施する必要がある。
【０００４】
特許文献１は、広帯域無線接続（ＢＷＡ）通信システムにおいて、移動加入者端末機（ＭＳＳ）が、基地局（ＢＳ）の要求に応じて、高速のハンドオーバを遂行するシステム及び方法を提供することを目的とした発明であるが、背景技術の欄に、ＩＥＥＥ(Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ)８０２.１６ｅ通信システムにおけるＢＳの要求によるハンドオーバの過程が規格に基づき説明されている。特許文献１には、ＢＳの要求によるハンドオーバが発生する場合は、ＢＳが過負荷(ｏｖｅｒｌｏａｄ)の状態となり、隣接ＢＳにＢＳ負荷を分散させるための負荷分散(ｌｏａｄ ｓｈａｒｉｎｇ)が必要である場合、或いはＭＳＳ（端末）のアップリンク状態の変化に対応するための場合であることが開示されている。
【先行技術文献】
【特許文献】
【０００５】
【特許文献１】国際公開第２００５／１０９６８９号
【発明の概要】
【発明が解決しようとする課題】
【０００６】
空港は電波の遮蔽物が少なく、同一周波数を使う無線端末が複数存在する場合に干渉の問題が起きやすくなる。特に周波数リユースを行う場合は、上り制御信号における干渉がより深刻である。このような干渉の問題を解決するためには、周波数間の端末数のロードバランスを取る必要がある。本発明は、無線通信システムが利用可能な周波数帯域を、複数の周波数帯域に分割して利用する無線通信システムにおいて、周波数間の端末数のロードバランスをとる方法を提供することを目的とする。 
【課題を解決するための手段】
【０００７】
上記課題を解決するために、本発明においては、一例として、無線通信システムが利用可能な周波数帯域を、複数の部分周波数帯域に分割し、１つ以上の部分周波数帯域を複数の基地局に割り当てる場合に、各基地局は、接続中の端末が送信する信号を受信するための情報と、割り当てられた部分周波数帯域毎の接続端末数を制御局に報告し、制御局は、各基地局から受け取った接続端末数の情報に基づいて、各部分周波数帯域の負荷を判定し、負荷が生じている部分周波数帯域については、部分周波数帯域を利用して通信を行っている端末群について、端末群が送信する信号を受信するための情報を部分周波数帯域を利用して通信を行っている各基地局に配信して端末群の干渉測定を指示し、各基地局から端末群の干渉測定結果を受信して、端末群についてハンドオーバの要否判断およびハンドオーバ先の基地局および周波数を決定し、ハンドオーバ要と判断した端末が接続している基地局に対して、決定した基地局の周波数へ基地局主導のハンドオーバを指示するようにしたものである。
【発明の効果】
【０００８】
本発明によれは、複数の無線端末が同一周波数を使うことによる干渉の問題を回避することができる。
【図面の簡単な説明】
【０００９】
【図１】空港面通信について説明するために、空港構造の例を示す図である。
【図２】本発明の一実施例における周波数割当ての例を示す図である。
【図３】本発明の一実施例における無線通信システムの構成を説明する図である。
【図４】本発明の一実施例における端末と基地局の接続関係を説明する図である。
【図５】本発明の一実施例における端末と基地局の接続関係を説明する図である。
【図６】本発明の一実施例における基地局と端末の構成例を説明する図である
【図７】本発明の一実施例における基地局の構成を説明する図である。
【図８】本発明の一実施例におけるロードバランス処理を説明するシーケンス図である。
【図９】本発明の一実施例におけるロードバランス処理を説明するフローチャートである。
【発明を実施するための形態】
【００１０】
以下、本発明の実施例を図面を用いて説明する。
図１は、空港面通信について説明するために、空港構造の例を示す図である。
図１の空港構造の例を用いて、空港面通信について説明する。
図１の中央の黒い太線は、滑走路1を示している。飛行機が着陸すると、飛行機に搭載された端末は、複数の周波数を探索し、受信電界強度を測定する。端末は、受信電界強度が最も強い周波数の信号を送信している基地局を見つけ、その基地局に対して接続手続きを開始する。空港では、空港内および周囲に電波を遮蔽する障害物がないため、通常のセルラ通信のような障害物による電波の減衰がなく、電波が減衰せずに遠くまで届きやすい。つまり、電波が遠くにまで干渉を与えやすい。
【００１１】
まず端末５−１を搭載した飛行機は滑走路１の右端から着陸を開始し、滑走路の左端当りで、タクシング２のレーンに退避する。退避後、あるいは退避する直前に端末は、空港面通信を開始する。ここでは、端末は、間近の基地局４−１（周波数ｆ０使用）と通信を行う。タクシングレーンに退避後の飛行機に搭載された端末５−２は、タクシング中も比較的速い移動速度（例えば時速７０ｋｍ／ｈ程度）で移動を続ける。最終的には、ゲート３に寄港して、乗客は乗り降りが可能となる。飛行機が、ゲート３近くに接近した際には、端末は、ゲート３に近い基地局４−２（周波数ｆ１使用）と接続することが望ましい。なぜならば、基地局４−２は、ゲート３付近でベストな通信を実現することを目的として、ゲート３付近に配置されたものだからである。しかし、先に説明した通り、空港では電波が遠くまで届くため、飛行機がゲート３付近に移動後の端末５−３に対しても、基地局４−１からの信号の受信電界強度が弱まらない。結果的に、端末主導によるハンドオーバは発生しにくい。空港面では、飛行機に搭載された端末以外にも、保守員や作業車に装備された端末５−４も存在する。
【００１２】
図２に本発明の一実施例における周波数割当ての例を示す。
無線通信システム全体として、例えば６０ＭＨｚの帯域がある場合、これを１２分割して再利用（リユース）率を下げて使う構成が検討されている。ここで１０で示しているのは、１つのサービス可能な帯域（１チャネル）であり、図２のケースでは１チャネルは６０ＭＨｚを１２分割した５ＭＨｚとなっている。
【００１３】
空港に着陸した飛行機は、図２に示す複数のチャネルに割り当てられた周波数の中の特定の周波数（図１の例では、基地局４−１に割り当てられたチャネルの周波数）に接続要求を行い、その周波数でサービスを受けることとなる。前述のように、無線通信システム全体として使用可能な帯域を例えば１２分割して基地局に割り当てるとしても、端末の数や設置する基地局の数が増えると、同一の周波数を異なる複数の基地局に割り当てる必要が生じる。これを周波数の再利用(リユース)、周波数繰り返しという。空港面では電波が遠くまで届くため、距離的に離れた基地局に同一の周波数を割り当てても干渉が発生しやすい。そのため、再利用する周波数毎に、その周波数を利用する端末数を把握し、端末数を管理する必要がある。周波数毎の接続端末数の管理が十分に実施できないと、特に上りの制御チャネルに深刻な干渉が発生しやすい。上りの制御チャネルに干渉が起きると、基地局は制御チャネルを受信できなくなり、通信の安定性が著しく低下する。
【００１４】
さすれば、端末が、特定の周波数または特定の基地局に集中しないようにするための仕組み、すなわち、ロードバランスの機能が必要である。ロードバランスを実現するために必要な技術のひとつは、基地局主導で強制的に他の基地局、あるいは他の周波数にハンドオーバさせる手続きである。これについては、背景技術でも説明したように、例えばＩＥＥＥ（Ｔｈｅ Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ, Ｉｎｃ）８０２．１６ｅをベースとするシステムでは標準として基地局が主導するハンドオーバ手順が定義されている。基地局主導のハンドオーバ手順に加え、ロードバランスを実現するためには、システム全体としてどの周波数に端末が集中しているかを把握し、システム全体として負荷分散を行う技術が必要である。つまり、単体の基地局が、干渉の情報を持っているだけではロードバランスは実現できない。前述のように、空港では電波の遮蔽物が殆どないことから、距離的に離れていても同じ周波数を割り当てられた複数の基地局間で干渉問題が発生するため、システム全体を見て干渉を管理する必要がある。以下の実施例では、無線通信システム全体の干渉を管理する構成について説明する。
【００１５】
図３は、本発明の一実施例における無線通信システムの構成を説明する図である。
図３に示す無線通信システムは、基地局４−１、４−２および端末５−１、５−２、５−３、端末のハンドオーバの制御を行うＡＳＮ−ＧＷ２０２、基地局の負荷バランス（ロードバランス）をとる制御局２０３、ルータスイッチ２０１からなる。基地局４−１、４−２は無線通信用のアンテナを具備し、端末５−１、５−２、５−３と無線回線によって接続される。基地局はルータスイッチ２０１に繋がり、さらにルータスイッチ２０１は、ＡＳＮ−ＧＷ２０２および制御局２０３と接続する。ＡＳＮ−ＧＷ２０２はインターネットあるいは図に記載されていないサービスノードと接続し、端末に対してサービスを提供している。
【００１６】
各基地局は端末が送信する信号を受信する。本実施例では、基地局は、自身に接続している端末だけでなく、他の基地局に接続する端末が送信する信号も受信できる機能を持つ。この機能を起動するためには、他の基地局に接続する端末が送信している信号の送信タイミングや周波数、そして接続先の基地局特有のスクランブルが掛っている場合には、それを解くための情報が必要である。制御局２０３は、各基地局が干渉を測定するべき端末を選択し、その端末が送信する信号を受信するための情報を、必要な基地局に送信して干渉測定指示を行う。各基地局は、制御局２０３から、他の基地局に接続している端末が送信する信号を受信するための情報を受け取り、端末が送信する信号を受信する。そしてその受信結果に基づいて、受信電力を測定することが可能である。このようにして本実施例では、各基地局が、他の基地局に接続している端末から受けている干渉電力を把握することができる。また、基地局は、接続中の端末が他の基地局に接続可能であるかを判定することができる。干渉電力、接続可否の判断結果の情報は、制御局２０３に集められる。制御局２０３は、集めた情報をロードバランスを行う際に利用する。
【００１７】
図４は、本発明の一実施例における端末と基地局の接続関係を説明する図である。
図４の例では、基地局４−１と基地局４−２は、同一の周波数ｆ１を使っている。また、基地局４−３は、基地局４−１、４−２とは異なる周波数ｆ２を使っている。ここで簡単のためにそれぞれの基地局は単一の周波数しか送信していない場合を示しているが、それぞれの基地局が複数の周波数を同時にサポートしているシステムも考えられる。そうしたシステムの場合も、課題および解決手段の本質は変わらない。
【００１８】
図４には、端末は１２台記載されている。それぞれの端末は３つのグループに分かれていて、３つの基地局にはちょうど４台ずつ端末が接続している。ここで実線は、端末が基地局に接続していることを示す。また、破線は、端末が破線の先の基地局が送信した信号を小さい伝搬損で受信できる関係にあることを示す。
【００１９】
一例を挙げると、端末５−６は基地局４−２と接続中であるが、基地局４−１および基地局４−３とも小さい伝搬損で接続可能なシチュエーションにある。（これまでに説明してきたように、空港面では、電波を遮蔽する物が少なく、電波が遠くまで届くために、こうした現象が特に顕著である。）
図４に示したシチュエーションは、各基地局に接続している端末数が同じであり、基地局の視点では、バランスがとれている状況に見える。しかし、基地局４−１と基地局４−２は同じ周波数ｆ１を使っている。そのため、周波数毎に判断すると、ｆ１には８台の端末が接続し、ｆ２には４台の端末しか接続していない。よって、図４に示したシチュエーションは、バランスが取れている状態とは言えない。特に端末５−５や端末５−６は、基地局４−２に接続しているが、基地局４−１からの信号も小さい伝搬損で受信可能な状態にある。干渉マネージメントのためには、基地局４−１は、６台の端末を管理する必要がある。しかし、これまでは、基地局が、他の基地局に接続する端末が送信する信号分析することはできず、また、基地局は、端末を特定して干渉測定することはできなかった。
【００２０】
本発明の一実施例のシステムでは、制御局２０３から、他の基地局に接続する端末が送信する情報（例えばＣＱＩ（Ｃｈａｎｎｅｌ  Ｑｕａｌｉｔｙ  Ｉｎｄｉｃａｔｏｒ）情報）を受信するために必要な情報が配信される。他の基地局に接続する端末が送信する信号を受信するために必要な情報とは、例えば、送信タイミング、周波数、スクランブル解除方法である。制御局２０３からそれらの情報を受信した基地局は、自局以外の基地局に接続する端末が送信する情報も受信することが可能である。この構成により、本実施例の基地局は、どの端末から干渉を受けているかを特定することができる。基地局は、特定した結果に基づいて、干渉情報を制御局２０３に報告する。制御局２０３は、基地局から受け取った干渉情報に基づいて、どの端末を基地局主導のハンドオーバによって他の周波数または他の基地局に移すべきかを判定する。
【００２１】
図５は、本発明の一実施例における端末と基地局の接続関係を説明する図である。
図５においては、制御局２０３の判断に基づいて各基地局が基地局主導のハンドオーバを実施し、図４の状況が改善されている。
【００２２】
図５において、端末５−５および端末５−６は、基地局主導で、基地局４−１から基地局４−３にハンドオーバした。このハンドオーバの結果、端末５−５および端末５−６は、利用する周波数がｆ１とは異なるｆ２に変更されている。この変更後の状態においては、周波数ｆ１に接続する端末の数は６台、そして周波数ｆ２に接続する端末の数も６台となっており、システム全体としてのロードバランスが良好な状態と言える。
【００２３】
前述のように、このようなロードバランスを行うためには、無線通信システム内の各基地局が、予め各基地局に接続している端末が送信する信号を受信するために必要な情報を制御局に送信しておくか、または制御局が定期的にあるいは各基地局に対して送信を指示して各基地局からそれらの情報を収集して一括管理おくことがまず必要である。制御局は、一括管理しているそれらの情報を必要に応じて基地局に配信する。この構成により、基地局は、他の基地局に接続する端末が送信するＣＱＩなどの情報を収集できる。
【００２４】
図６は、本発明の一実施例における基地局と端末の構成例を説明する図である。
図６で、基地局４は、アンテナ２０と接続する通信手段４１を持つ。通信手段４１は、モデムやＲＦ（Ｒａｄｉｏ  Ｆｒｅｑｕｅｎｃｙ）回路から構成されており、アンテナ２０から電波を送受信して、端末５との通信を行う。端末側も、基地局４と対向するアンテナ４０と、通信手段４５を具備している。端末５のハンドオーバ制御（ＨＯ制御）部は、端末主導で起動したハンドオーバ処理、または、基地局４からのハンドオーバ指示に基づいて起動したハンドオーバ処理を制御する。
基地局の通信手段４１は通信状態推定手段４３と繋がっている。端末側の通信手段４５は通信状態測定手段４７とＣＱＩ送信手段４８が繋がっている。基地局４のＨＯ制御部は、端末５からのハンドオーバ要求により起動したハンドオーバ処理、または、制御局からハンドオーバ指示に基づいて起動した基地局４のハンドオーバ処理を制御する。
【００２５】
端末５の通信状態測定手段４７は、基地局が送信する基準信号、あるいはパイロット信号等、を受信して、通信状態を測定する。端末５のＣＱＩ送信手段は、通信状態測定手段４７が測定した通信状態を基地局４に報告する。基地局４は、端末が報告するＣＱＩ信号を受信する。この時、端末が接続している基地局だけでなく、他の基地局も、制御局２０３からの配信情報により、端末が、接続している基地局に向けて送信しているＣＱＩ信号を受信する。他の基地局は、端末からの信号を受信する際に信号強度を測定し、端末からの干渉電力を測定する。測定した干渉電力は、状態報告手段４４から制御局に報告される。
【００２６】
図７は、本発明の一実施例における基地局の構成を説明する図である。
図７は、図６に示した基地局４の構成を更に詳細化した説明図である。
【００２７】
基地局は、２つのアンテナ２０−１、２０−２を具備する。アンテナはＲＦ回路２１に繋がる。ＲＦ回路は、アンテナで受信した信号をベースバンド帯域に変換し、送信信号を、ベースバンド信号からＲＦ信号に変換して増幅し、アンテナから送信する。ＲＦ回路は、送信側は、Ｄ／Ａ（Ｄｉｇｉｔａｌ／Ａｎａｌｏｇ）コンバータ２２と、受信側はＡ／Ｄ（Ａｎａｌｏｇ／Ｄｉｇｉｔａｌ）コンバータ２３と接続している。Ｄ／Ａコンバータ２２とＡ／Ｄコンバータ２３は、送受信信号のアナログ信号とデジタル信号との変換を行っている。送信モデム部２４は、Ｌ２（Ｌａｙｅｒ２）／Ｌ３（Ｌａｙｅｒ３）部２６が生成した信号を無線伝送可能な変調信号に変換する。また、受信モデム部（ＤＥＭ−Ｒｘ）２５は、受信信号に含まれるパイロット信号を取り出し、伝搬路品質を推定した上でデータ信号を検波・復号して情報を取り出す。
【００２８】
無線管理部（ＲＲＭ部：Ｒｅｍｏｔｅ  Ｒａｄｉｏ  Ｍｏｄｕｌｅ）２８は、図１に記載した制御局から、他の基地局と接続している端末が送信するＣＱＩ信号を受信するための情報（具体的には送信タイミング、周波数、スクランブル解除方法）を入手する。ＲＲＭ部は、ＣＱＩ受信部２９に対して受信した情報に基づいて受信処理を指示する。ＣＱＩ受信部は、対象の端末が送信したＣＱＩ信号を受信し、その信号強度等の情報を入手する。基地局は、得られた信号強度等の情報を端末状況メモリ３０に一旦蓄積した後、ＲＲＭ部がその情報を制御局に報告する。
【００２９】
受信モデム部（ＤＥＭ−Ｒｘ）２５は受信したデータを、Ｌ２／Ｌ３部２６に送る。Ｌ２／Ｌ３部は、受信モデム部２５から受け取ったデータを制御情報とユーザデータに分離し、ユーザデータはネットワーク側に送る。制御データはＲＲＭ部２８に送り、無線の管理に使う。特に接続時の端末のＩＤ等の情報は、コンテキストメモリ２７に蓄積する。
また、ＲＲＭ部は、制御局の指示により、基地局主導のハンドオーバシーケンス（図８参照）を実行する。
図７で、Ｌ２／Ｌ３部、ＲＲＭ部はＣＰＵにより実現される。よって、各ブロックは、プログラムのサブルーチンとして具現化される。
【００３０】
図８は、本発明の一実施例におけるロードバランス処理を説明するシーケンス図である。
図８は、端末５−１と基地局４−１（ハンドオーバ元の基地局）と、基地局４−２（ハンドオーバ先の基地局）、制御局２０３間の通信シーケンスである。
【００３１】
まず、端末５−１は、基地局４−１との接続を獲得するため、接続手順１００により、基地局４−１との通信路を確保する。端末５−１と基地局４−１は、通信路を確保した後、データ通信を開始する。データ通信には、上り信号の通信が含まれる。上り信号には、ＣＱＩ信号など、通信中に定期的に送信される情報が含まれる（１０１）。基地局４−１は、そのＣＱＩ信号を用いてリンクアダプテーションなどの伝搬路品質の変動に対する処理を行う。
【００３２】
制御局２０３は、各基地局（４−１、４−２）に周波数毎の接続端末数を報告させている（１０２）。制御局２０３は、報告接続端末数を周波数毎に合算した値に基づいて、ロードバランスを判定する（１０３）。ロードバランスが崩れていると判断した場合には、各基地局に対して、負荷が高いと考えられる周波数で接続している端末に関する干渉測定指示を送信する（１０４）。この干渉測定指示は、対象の端末のＣＱＩを受信するための情報を含んでいる。各基地局は、ＣＱＩ受信部においてＣＱＩ信号を受信し、その電力を測定する。各基地局は測定した結果を制御局２０３に報告する（１０５−１，１０５−２）。複数の端末に関する報告値に基づき、制御局はハンドオーバ先の周波数あるいはハンドオーバ先の基地局を決定し、ハンドオーバ対象の端末が現在接続している基地局に対して、基地局主導のハンドオーバを指示する（１０６）。ハンドオーバ対象の端末が現在接続している基地局４−１は、ハンドオーバ指示(１０７)を端末に送信する。そのメッセージには、ハンドオーバ先の基地局４−２の情報が含まれる。また、基地局４−１は基地局４−２に対して、端末のハンドオーバがあることを伝えるために、ＨＯ（Ｈａｎｄ  Ｏｖｅｒ）準備メッセージ(１０８)を送信する。これを受けた基地局４−２は、端末とのハンドオーバ手順(１０９)を実施する。ハンドオーバが完了すると、端末５−１は、ハンドオーバ先の基地局４−２との通信状態（１１０）に移行する。
【００３３】
図９は、本発明の一実施例におけるロードバランス処理を説明するフローチャートである。
図９には、制御局２０３のフローを示している。
【００３４】
制御局は定期的に、または制御局から報告指示を送ることにより、各基地局に周波数毎に接続する端末数を報告させている。例えば複数の周波数を使って複数の端末と接続している基地局は、周波数毎に接続端末数を制御局に報告している。制御局は、周波数毎に接続端末数を集計するとともに、周波数間の接続端末数の差分を監視する。制御局は、周波数間で、例えば、閾値を超える差分が発生したときに、ロードバランスが必要であると判断し、ロードバランス手順を開始する（Ｓ９０１）。まず、負荷が集中している周波数について、１台１台の端末の干渉測定を各基地局に指示する（Ｓ９０２）。この指示を受けた基地局は、図８の説明の指示（１０４）を受けた状態となり、干渉測定結果を報告してくる。制御局は、各基地局からの報告を蓄積し、負荷が集中している周波数に接続している全端末についての調査を行う（Ｓ９０３）。全端末の情報を収集したら（Ｓ９０４）、負荷が集中している周波数に接続している端末のハンドオーバ先の基地局を選択する。具体的には、負荷が小さく、他の周波数を使っていて、且つ、負荷が集中している周波数に接続している端末との伝搬損が小さい基地局を選択する。制御局は、端末が接続している基地局に対して、選択した基地局の周波数にハンドオーバするように、基地局主導のハンドオーバ指示を出す（Ｓ９０５）。
【００３５】
上記、解決手段では、制御局がシステム全体の周波数毎の利用状況を把握した上で、適切な周波数へのロードバランスを行うことができる。
また、特に上りの制御信号の干渉状態を把握することができるため、制御信号の受信不備に伴う通信品質の低下を効果的に防止することが可能となる。よって、周波数リソースの有効活用が実現できる。
【符号の説明】
【００３６】
１  滑走路
２  タクシング
３  空港の旅客ゲート
４  基地局
５  端末
１０  周波数（チャネル）
２０  アンテナ
２１  ＲＦ回路
２２  Ｄ/Ａコンバータ
２３  Ａ/Ｄコンバータ
２４  送信モデム部
２５  受信モデム部
２６  Ｌ２/Ｌ３部
２７  コンテキストメモリ
２８  ＲＲＭ部
２９  伝搬路品質推定部（リンクアダプテーション部）
３０  状態メモリ
４０  アンテナ（端末）
４１  通信手段（基地局）
４２  ハンドオーバ制御部（基地局）
４３  通信状態推定手段
４４  状態報告手段
４５  通信手段（端末）
４６  ハンドオーバ制御部（端末）
４７  通信状態測定手段
４８  ＣＱＩ送信手段
【図１】
2016072715.tif 000003
【図２】
2016072715.tif 000004
【図３】
2016072715.tif 000005
【図４】
2016072715.tif 000006
【図５】
2016072715.tif 000007
【図６】
2016072715.tif 000008
【図７】
2016072715.tif 000009
【図８】
2016072715.tif 000010
【図９】
2016072715.tif 000011